(57)【要約】【課題】浴室内をサウナ空間とするサウナ機能を搭載した浴室暖房乾燥換気装置において、換気量（風量）を一定に制御する機能に関するもので、目標風量変更時の使用者への違和感防止と目標風量への到達時間短縮を目的としている。【解決手段】乾燥運転、暖房運転、換気運転、サウナ運転を行うサウナ機能付き浴室暖房乾燥装置において、換気ファンを回転させるモータ５ａと、目標風量とすべく回転数検出手段１０、電圧検出手段１１に基づき前記モータ５ａへの指示電圧を制御する制御装置とを備え、前記制御装置は、前記モータ５ａへの指示電圧を記憶する記憶手段１４を備え、再度運転開始または／および運転切り換えによる目標風量変更の際には、前記記憶手段１４により記憶された指示電圧にて前記モータ５ａを制御することにより、使用者への違和感を防止でき、また、目標風量への到達時間を短縮することができるサウナ機能付き浴室暖房乾燥装置を提供できる。【選択図】図２
2009261554.tif 000002
【特許請求の範囲】
【請求項１】
浴室内の空気を循環するための循環風路内に設けた循環ファンおよび加熱手段と、浴室内の空気を排気する換気ファンと、温水および冷水を噴射するミスト噴射手段および前記循環ファン、加熱手段、換気ファン、ミスト噴射手段を組み合わせて駆動し、乾燥運転、暖房運転、換気運転、サウナ運転を行うサウナ機能付き浴室暖房乾燥換気装置において、前記換気ファンを回転させるモータと、前記モータへ各運転に応じて目標風量を指示する風量指示手段と、前記モータの動作状態を検出する動作状態検出手段と、前記目標風量となるまで、または、目標風量を維持すべく、前記動作状態検出手段が検出する動作状態に基づき前記モータへの指示電圧を制御する制御手段とを備え、前記制御手段は、前記指示電圧のうち最新の指示電圧を記憶する記憶手段を備え、再度運転開始または／および運転切り換えによる目標風量変更の際には、前記記憶手段により記憶された最新の指示電圧にて前記モータを制御することを特徴とするサウナ機能付き浴室暖房乾燥換気装置。
【請求項２】
制御手段は、各運転開始から所定時間経過後、記憶手段によりモータへの指示電圧を記憶することを特徴とする請求項１記載のサウナ機能付き浴室暖房乾燥換気装置。
【請求項３】
制御手段は、風量指示手段で指示された目標風量に到達または維持している場合に記憶手段によりモータへの指示電圧を記憶することを特徴とする請求項１記載のサウナ機能付き浴室暖房乾燥換気装置。
【請求項４】
制御手段は、運転切り換えによる目標風量変更の際には、記憶手段により記憶された指示電圧と現在の指示電圧を比較し、目標風量が上昇する際には高い方の指示電圧、目標風量が下降する際には低い方の指示電圧を指示電圧とすることを特徴とする請求項１乃至請求項３記載のサウナ機能付き浴室暖房乾燥換気装置。
【請求項５】
動作状態検出手段は、目標風量に対応させてモータに印加されている電圧を検出する電圧検出手段と前記モータの回転数を検出する回転数検出手段とからなることを特徴とする請求項１記載のサウナ機能付き浴室暖房乾燥換気装置。
【請求項６】
動作状態検出手段は、目標風量に対応させてモータに流れる電流を検出する電流検出手段と前記モータの回転数を検出する回転数検出手段とからなることを特徴とする請求項１記載のサウナ機能付き浴室暖房乾燥換気装置。
【発明の詳細な説明】
【技術分野】
【０００１】
本発明は、浴室内をサウナ空間とするサウナ機能を搭載した浴室暖房乾燥換気装置において換気量（風量）を一定に制御する機能に関するものである。
【背景技術】
【０００２】
従来、この種のサウナ機能付き浴室暖房乾燥装置は、換気、循環の各々の風路内に換気用の換気ファン、循環用の循環ファンを備え、各々専用のモータによって回転し、また、循環風路内に加熱手段を備え、温水および冷水を噴射するミスト噴射手段を備え、循環ファン、加熱手段、換気ファン、ミスト噴射手段を組み合わせて駆動することにより、各運転、例えば、乾燥運転、暖房運転、換気運転、サウナ運転を行うようにしたものが知られている。
【０００３】
乾燥運転では、循環ファン、加熱手段、換気ファンが駆動され、加熱手段により浴室内の空気を加熱して循環ファンにより加熱された空気を浴室内に循環させながら、換気ファンにより浴室内の空気が換気風路内を通り、外部に排出され、暖房運転では、循環ファン、加熱手段が駆動され、加熱手段により浴室内の空気を加熱して循環ファンにより加熱された空気を浴室内に循環させることにより、浴室内の温度を上昇させ、換気運転では、換気ファンが駆動され、換気ファンにより浴室内の空気を排気し、サウナ運転では、暖房運転での循環ファン、加熱手段、換気ファン駆動に加え、ミスト噴射手段が駆動され、ミスト噴射により浴室内を加湿することにより浴室内をサウナ空間とするという各種の運転モードである。
【０００４】
また、浴室内の空気を外部に排出させるための風路である排気ダクトの長さや外風圧などにより圧力損失（圧損）が変化した場合でも換気量（風量）を確保するために、換気ファンにおいて換気量（風量）を一定に制御するものが知られている（例えば、特許文献１参照）。
【０００５】
以下、その浴室暖房乾燥装置の換気ファンの制御に関わる部分について図８、図９を参照しながら説明する。
【０００６】
図８に示すように、換気ファンを回転させるモータ１０１と、モータ１０１の回転数を検出する回転数検出手段１０２と、モータ１０１に流れる電流を検出する電流検出手段１０３と、回転数検出手段１０２が検出する回転数と電流検出手段１０３が検出する電流とに基づいてモータ１０１を制御する制御装置１０４とを備え、制御装置１０４は、回転数検出手段１０２が検出する回転数と電流検出手段１０３が検出する電流とから予め設定した周期の期間に換気される総換気量を求め、この総換気量とその周期の目標総換気量とを比較して過不足を求め、次の周期の期間の総換気量が前記目標総換気量にその過不足を加算した値となるように次の周期の期間だけ制御し、この制御を各周期毎に行っていく。
【０００７】
また、総換気量は、図９に示すようなモータ１０１の回転数Ｎとモータ１０１の電流Ｉとモータ１０１への指示電圧ＶＳＰと換気風量Ｑと静圧（外風圧）Ｐとモータ１０１に印加される印加電圧Ｅ（交流入力から整流平滑回路により変換されたほぼ一定の直流電圧）との関係を予め求めておいたデータテーブルをマイクロコンピュータのＲＯＭ領域やＥＥＰＲＯＭなどのメモリ１０５を参照する事で求める。
【０００８】
さらに、運転開始時や運転が切り換って目標とする風量が変更となった際には静圧がゼロのときの風量Ｑａ０を目標として設定し、対応する指示電圧Ｇ１を出力する。
【０００９】
また、モータの電流Ｉの代わりにモータの印加電圧Ｖ（指示電圧に応じて可変する直流電圧）で制御を行うものが知られている。説明は電流から電圧に代えただけで同様であるため省略するが、先に説明したものが一般にＰＷＭ駆動方式、後者はＰＡＭ駆動方式と呼ばれるものである。
【特許文献１】特開２００４−３４０４９０号公報
【発明の開示】
【発明が解決しようとする課題】
【００１０】
このような従来の浴室暖房乾燥装置では、運転開始時や運転が切り換って目標とする風量が変更となった際には、特定の静圧（ゼロ）のときの風量を目標として設定し、対応する指示電圧を出力するため、例えば設定風量の低い運転から設定風量の高い運転に切り換えた際、一時的に設定風量の低い運転よりも低くなるような運転となったり、同様に設定風量の高い運転から設定風量の低い運転に切り換えた際、一時的に設定風量の高い運転よりも高くなるような運転となる場合が生じ、使用者に違和感を抱かせるという課題がある。
【００１１】
また、運転が切り換わる度に特定の静圧（ゼロ）のときの風量を目標として設定するので目標風量に到達するまで時間がかかるという課題がある。
【００１２】
本発明は、このような従来の課題を解決するものであり、使用者に違和感を抱かせることなく、目標風量に到達するまでの時間を短くすることができるサウナ機能付き浴室暖房乾燥装置を提供することを目的としている。
【課題を解決するための手段】
【００１３】
本発明のサウナ機能付き浴室暖房乾燥装置は上記目的を達成するために、浴室内の空気を循環するための循環風路内に設けた循環ファンおよび加熱手段と、浴室内の空気を排気する換気ファンと、温水および冷水を噴射するミスト噴射手段および前記循環ファン、加熱手段、換気ファン、ミスト噴射手段を組み合わせて駆動し、乾燥運転、暖房運転、換気運転、サウナ運転を行うサウナ機能付き浴室暖房乾燥換気装置において、前記換気ファンを回転させるモータと、前記モータへ各運転に応じて目標風量を指示する風量指示手段と、前記モータの動作状態を検出する動作状態検出手段と、前記目標風量となるまで、または、目標風量を維持すべく、前記動作状態検出手段が検出する動作状態に基づき前記モータへの指示電圧を制御する制御手段とを備え、前記制御手段は、前記指示電圧のうち最新の指示電圧を記憶する記憶手段を備え、再度運転開始または／および運転切り換えによる目標風量変更の際には、前記記憶手段により記憶された最新の指示電圧にて前記モータを制御することを特徴としたものである。
【００１４】
この手段により再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られる。
【００１５】
また、第２の課題解決手段は、制御手段は、各運転開始から所定時間経過後、記憶手段によりモータへの指示電圧を記憶することを特徴としたものである。
【００１６】
この手段により前記モータへの指示電圧の記憶をほぼ安定する所定時間後から行うことにより、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られる。
【００１７】
また、第３の課題解決手段は、制御手段は、風量指示手段で指示された目標風量に到達または維持している場合に記憶手段によりモータへの指示電圧を記憶することを特徴としたものである。
【００１８】
この手段により前記モータへの指示電圧の記憶を目標風量達して維持している状態時のみ行うことにより、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られる。
【００１９】
また、第４の課題解決手段は、制御手段は、運転切り換えによる目標風量変更の際には、記憶手段により記憶された指示電圧と現在の指示電圧を比較し、目標風量が上昇する際には高い方の指示電圧、目標風量が下降する際には低い方の指示電圧を指示電圧とすることを特徴としたものである。
【００２０】
この手段により運転切り換えによる目標風量変更の際には、記憶された指示電圧、現在の指示電圧のうち目標風量の上昇、下降の目的に合致する指示電圧で運転することにより、使用者への違和感を防止でき、また、目標風量への到達時間を短縮することができるサウナ機能付き浴室暖房乾燥装置が得られる。
【００２１】
また、第５の課題解決手段は、目標風量に対応させてモータに印加されている電圧を検出する電圧検出手段と前記モータの回転数を検出する回転数検出手段とからなることを特徴としたものである。
【００２２】
この手段により再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られる。
【００２３】
また、第６の課題解決手段は、目標風量に対応させてモータに流れる電流を検出する電流検出手段と前記モータの回転数を検出する回転数検出手段とからなることを特徴としたものである。
【００２４】
この手段により再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られる。
【発明の効果】
【００２５】
本発明によれば、運転開始時や運転が切り換って目標とする風量が変更となった際には、記憶した指示電圧にて起動することにより使用者に違和感を抱かせることのなく運転することができるという効果のあるサウナ機能付き浴室暖房乾燥装置を提供できる。
【００２６】
また、記憶した指示電圧、つまり目標風量近くの指示電圧にて起動することにより、目標風量に到達するまでの時間を短くすることができるという効果のあるサウナ機能付き浴室暖房乾燥装置を提供できる。
【発明を実施するための最良の形態】
【００２７】
本発明の請求項１記載の発明は、浴室内の空気を循環するための循環風路内に設けた循環ファンおよび加熱手段と、浴室内の空気を排気する換気ファンと、温水および冷水を噴射するミスト噴射手段および前記循環ファン、加熱手段、換気ファン、ミスト噴射手段を組み合わせて駆動し、乾燥運転、暖房運転、換気運転、サウナ運転を行うサウナ機能付き浴室暖房乾燥換気装置において、前記換気ファンを回転させるモータと、前記モータへ各運転に応じて目標風量を指示する風量指示手段と、前記モータの動作状態を検出する動作状態検出手段と、前記目標風量となるまで、または、目標風量を維持すべく、前記動作状態検出手段が検出する動作状態に基づき前記モータへの指示電圧を制御する制御手段とを備え、前記制御手段は、前記指示電圧のうち最新の指示電圧を記憶する記憶手段を備え、再度運転開始または／および運転切り換えによる目標風量変更の際には、前記記憶手段により記憶された最新の指示電圧にて前記モータを制御することを特徴としたものであり、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られるという作用を有する。
【００２８】
また、請求項２記載の発明は、制御手段は、各運転開始から所定時間経過後、記憶手段によりモータへの指示電圧を記憶することを特徴としたものであり、前記モータへの指示電圧の記憶をほぼ安定する所定時間後から行うことにより、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られるという作用を有する。
【００２９】
また、請求項３記載の発明は、制御手段は、風量指示手段で指示された目標風量に到達または維持している場合に記憶手段によりモータへの指示電圧を記憶することを特徴としたものであり、前記モータへの指示電圧の記憶を目標風量達して維持している状態時のみ行うことにより、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られるという作用を有する。
【００３０】
また、請求項４記載の発明は、制御手段は、運転切り換えによる目標風量変更の際には、記憶手段により記憶された指示電圧と現在の指示電圧を比較し、目標風量が上昇する際には高い方の指示電圧、目標風量が下降する際には低い方の指示電圧を指示電圧とすることを特徴としたものであり、運転切り換えによる目標風量変更の際には、記憶された指示電圧、現在の指示電圧のうち目標風量の上昇、下降の目的に合致する指示電圧で運転することにより、使用者への違和感を防止でき、また、目標風量への到達時間を短縮することができるサウナ機能付き浴室暖房乾燥装置が得られるという作用を有する。
【００３１】
また、請求項５記載の発明は、目標風量に対応させてモータに印加されている電圧を検出する電圧検出手段と前記モータの回転数を検出する回転数検出手段とからなることを特徴としたものであり、前記動作状態検出手段は、前記モータの回転数を検出する回転数検出手段と、前記モータに印加されている電圧を検出する電圧検出手段とからなることを特徴としたものであり、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られるという作用を有する。
【００３２】
また、請求項６記載の発明は、目標風量に対応させてモータに流れる電流を検出する電流検出手段と前記モータの回転数を検出する回転数検出手段とからなることを特徴としたものであり、再度運転開始または／および運転切り換えによる目標風量変更の際には、記憶された指示電圧で運転することにより使用者への違和感を防止でき、また、目標風量への到達時間を短縮することができるサウナ機能付き浴室暖房乾燥装置が得られるという作用を有する。
【００３３】
以下、本発明の実施の形態について図面を参照しながら説明する。
【００３４】
（実施の形態１）
図１に示すように、サウナ機能付き浴室暖房乾燥装置本体１は、循環ファン２、加熱手段３、ミスト噴射手段４と、換気ファン５と、それらを組み合わせて駆動する制御部６から構成されている。サウナ機能付き浴室暖房乾燥装置本体１の側面には、加熱手段３の下流側に浴室換気吸い込み口である連通口７を介して換気ファンユニット８に連結されている。
【００３５】
循環ファン２は、クロスフローファンやシロッコファンなどである。ファンを回転させることで、吸い込み口を通して浴室内の空気を吸引し、加熱手段３、ミスト噴射手段４で加熱、加湿された空気を吹き出し口を通して浴室内に吹き出す方向に取り付けられており、制御手段６により制御することで通風量が変化することとなる。
【００３６】
加熱手段３は、給湯装置などを介して温水の循環供給を受ける熱交換器を利用するもの、あるいは、ＰＴＣヒータなどのヒータであり、吸い込み口を通して浴室内の空気を吸引し、吹き出し口を通して吹き出す空気を、循環ファン２により通風が行われることにより、通風される空気を加熱する。
【００３７】
ミスト噴射手段４は水道や給湯装置などにより供給された水または温水を、噴射ノズルなどにより微細化して浴室内に噴射することで浴室内の加湿を行う。
【００３８】
換気ファン５は、ファンを回転させるモータ５ａを搭載している。
【００３９】
また、モータ５ａへ各運転に応じて目標風量を指示する風量指示手段（図示せず）と、前記モータ５ａの動作状態を検出する動作状態検出手段（後述する）と、前記目標風量となるまで、または、目標風量を維持すべく、前記動作状態検出手段が検出する動作状態に基づき前記モータ５ａへの指示電圧を制御する制御手段６とを備え、前記制御手段６は、前記指示電圧のうち最新の指示電圧を記憶する記憶手段１４を備えている。
【００４０】
制御手段６は、マイクロコンピュータなどを利用した制御基板により、遠隔操作装置（図示せず）からの入力情報、循環ファン２、換気ファン５のファン回転数情報や、浴室内温度、噴射水温などの温度情報を入力とし、それらの情報に応じて循環ファン２、加熱手段３、ミスト噴射手段４と、換気ファン５などを運転モードや運転状態に応じてリレーの開閉やオンオフ信号、回転数指令信号などを出力することで各々動作させる。
【００４１】
換気ファンユニット８は、換気ファン５が内蔵され、連通口７を浴室の吸い込み口として浴室内の空気を吸い込み、連結された排気ダクト９を介して屋外へ排出する。図中の白抜き点線の矢印は気流を示す。
【００４２】
次に、換気ファン５を回転させるモータ５ａの制御系の構成について図２の制御ブロック図を参照しながら説明する。図に示すように、制御手段６は、制御装置１３と前記記憶手段１４で構成され、前記動作状態検出手段は、モータ５ａの回転数を検出する回転数検出手段１０と、モータ５ａに印加されている電圧を検出する電圧検出手段１１を構成している。
【００４３】
電源回路１２から電圧の供給を受けている制御装置１３は、目標風量と電圧検出手段１１と回転数検出手段１０の検出信号に応じて、記憶手段１４に記憶しているデータテーブルにより決定されるモータ指示電圧を出力し、出力されたモータ指示電圧に基づき、ＰＡＭ駆動回路１５に整流平滑回路１６を介して供給されている直流電圧に振幅変調をすることによりモータ５ａへ印加する電圧を制御するものである。
【００４４】
電源回路１２は、ＡＣ電源から所定の直流電圧にし、制御装置１３に供給する。
【００４５】
制御装置１３は、例えばマイクロコンピュータなどであり、脱衣所などに設けた操作部（図示せず）の操作や運転状態により、モータ５ａの制御を行う。
【００４６】
記憶手段１４は、マイクロコンピュータのＲＯＭ領域やＥＥＰＲＯＭなどの記憶媒体に後述する図４乃至図６に示すモータ５ａを制御するためのデータテーブルを記憶している。
【００４７】
整流平滑回路１６は、ＡＣ電源の交流電圧を直流電圧にし、ＰＡＭ駆動回路１５に供給する。一般に、ＰＡＭ駆動ではスイッチング電源などで低圧に変換して用いられる。
【００４８】
上記構成において、モータ５ａの制御動作について、図３のフローチャート、図４乃至図６の各データテーブルを参照しながら説明する。
【００４９】
まず、図３に示すように、ステップＳ００１において、脱衣所などに設けた操作部（図示せず）の操作や外部のスイッチ操作（図示せず）により運転開始または／および目標風量が変更されたかを判定し、目標風量の変更があった際にはステップＳ００２において、変更前に対し、新たに設定した目標風量が上昇したかを判定する。上昇したと判定した場合にはステップＳ００３において、図４に示す各目標風量Ｑに対するモータ指示電圧記憶値Ｖのデータテーブルから新たに設定した目標風量に対応して記憶している指示電圧を参照し、目標風量変更前の現在の指示電圧に対して高いかを判定し、高いと判定した場合にはステップＳ００４において、新たに設定した目標風量に対応して記憶している指示電圧を選択し、同じまたは、低いと判定した場合には目標風量変更前の現在の指示電圧を選択する。なお、図４のデータテーブルの目標風量ＱはＱ０＜Ｑ１＜Ｑ２・・・である。また、モータ指示電圧記憶値Ｖは、一度も運転していなければ初期値としてＶ０＜Ｖ１＜Ｖ２・・・となる値をもっているので、目標風量が上昇したと判断した場合には、前記ステップＳ００３では、新たに設定した目標風量に対して記憶している指示電圧は目標風量設定前の現在の指示電圧に対して高くなりステップＳ００４へ進むこととなる。
【００５０】
しかし、実際には、この種の換気装置は、換気ファン５はダクトで配管されて空気を屋外へ排出する構成となっており、施工状態により目標風量を確保するためには指示電圧を初期の指示電圧に対して高くしなければない。本実施の形態でもまずは、初期の指示電圧によって動作させているが、その後後述するステップＳ０１２のように指示電圧を補正し、目標風量が得られたところで、その指示電圧を更新することになる。その結果、目標風量の大小関係に対して記憶されている指示電圧の大小関係が逆転することが発生する。そして、そのような場合は、新たに設定した目標風量が増加しているにもかかわらず記憶している指示電圧が低くなってしまうことになり、現在の指示電圧をそのまま選択して補正を加えながら目標風量に近づけていった方が、モータ５ａの切り替わりがスムースになる。
【００５１】
逆に新たに設定した目標風量が下降したと判定した場合にはステップＳ００５おいて、新たに設定した目標風量に対して記憶している指示電圧を参照し、目標風量変更前の（現在の）指示電圧に対して低いかを判定し、低いと判定した場合にはステップＳ００４において、記憶している指示電圧を選択し、同じまたは、高いと判定した場合には目標風量変更前の現在の指示電圧を選択する。
【００５２】
ステップＳ００６以降は、目標風量になるように制御する処理であり、ステップＳ００６において、所定時間Ｘ秒毎に補正するための判定を行い、Ｘ秒経過しない間は待機、Ｘ秒経過した際にはＸ秒のタイマを再スタートさせ、次のステップＳ００７へ進む。所定時間Ｘ秒については、例えば１乃至５秒程度であり、風量を一定に制御する際にハンチングなどにより使用者に違和感を生じない、過度な補正が継続しない範囲であればよい。
【００５３】
ステップＳ００７において、目標風量に到達し、安定状態かを判定し、安定状態にあると判定した場合には、ステップＳ００８において、図４のデータテーブルの現在設定している目標風量Ｑに対するモータ指示電圧記憶値Ｖを記憶し、次のステップＳ００９へ進む。目標風量に到達し、安定状態かの判定条件については、目標回転数と現在回転数の回転数差Δｎが所定範囲内にあるか否かで判定する。所定範囲については、目標と現在の回転数差Δｎが小さい範囲、例えば０〜５ｒ／ｍｉｎ程度が望ましい。
【００５４】
ステップＳ００９において、回転数検出手段１０により現在の回転数を検出し、電圧検出手段１１によりモータ５ａへの印加電圧を検出する。検出した印加電圧の値から、ステップＳ０１０において、図５に示す現在設定している目標風量Ｑにおけるモータ印加電圧Ｅに対する目標回転数Ｎのデータテーブルから目標回転数を参照する。なお、図５のデータテーブルの目標風量ＱはＱａ＜Ｑｂ・・・、印加電圧ＥはＥａ０＜Ｅａ１＜・・・、Ｅｂ０＜Ｅｂ１＜・・・、目標回転数ＮはＮａ０＜Ｎａ１＜・・・、Ｎｂ０＜Ｎｂ１＜・・・である。次にステップＳ０１１において、目標回転数と回転数検出手段により検出された現在回転数の差Δｎを算出する。
【００５５】
ステップＳ０１２において、図６に示すステップＳ０１１で算出した目標と現在の回転数差Δｎに対するモータ指示電圧の補正量ΔＶのデータテーブルから補正量ΔＶを決定し、ステップＳ０１３において、回転数差Δｎが０以上か否かで、補正量ΔＶの加算、減算を判定し、０以上であればステップＳ０１４において、現在の指示電圧から補正量ΔＶを減算し、回転数差Δｎが０未満であればステップＳ０１５において、現在の指示電圧に補正量ΔＶを加算し、再度ステップＳ００１に戻り、運転終了まで繰り返し行う。なお、図６のデータテーブルの回転数差ΔｎはΔｎ０＜Δｎ１＜Δｎ２・・・、補正量ΔＶはΔＶ０＜ΔＶ１＜ΔＶ２・・・である。
【００５６】
以上のように、換気ファンの制御動作とすることにより、再度運転開始による目標風量変更の際には、記憶された指示電圧で運転することにより使用者への違和感を防止でき、また、目標風量への到達時間を短縮することができるサウナ機能付き浴室暖房乾燥装置が得られる。
【００５７】
また、運転切り換えによる目標風量変更の際には、記憶された指示電圧、現在の指示電圧のうち目標風量の上昇、下降の目的に合致する指示電圧で運転することにより、使用者への違和感を防止でき、また、目標風量への到達時間を短縮することができるサウナ機能付き浴室暖房乾燥装置が得られる。
【００５８】
なお、実施の形態１では、浴室の換気のみを対象としたが、図７に示すような複数の吸い込み口７ａ、７ｂを有する換気ユニット８を用い、脱衣室やトイレなど複数の対象室からダクトを接続して換気を行うものとしてもよく、その作用効果に差異は生じない。
【００５９】
なお、実施の形態１では、動作状態検出手段を電圧検出手段１１が検出するモータ５ａへの印加電圧と回転数検出手段１０が検出する回転数とにより行うものとしたが、電流検出手段（図示せず）が検出するモータ５ａに流れる電流と回転数検出手段１０が検出する回転数とにより構成し、風量一定の制御を行うものとしてもよく、その作用効果に差異は生じない。
【００６０】
また、その際は図５のデータテーブルが現在設定している目標風量Ｑにおけるモータ電流Ｉに対する目標回転数Ｎのデータテーブルとなる。
【００６１】
なお、実施の形態１では、図３のステップＳ００８において、目標風量に到達し、安定状態かの判定条件について目標回転数と現在回転数の回転数差が所定範囲か否かで判定するとしたが、設置した使用者の環境において静圧の変動は少ないため、静圧の高いところでもほぼ風量が一定となる所定時間Ｙ秒経過後、例えば３０秒経過後としてもよく、その作用効果に差異は生じない。
【００６２】
なお、実施の形態１では、図４のデータテーブルにおいて、各目標風量Ｑに対するモータ指示電圧記憶値Ｖのデータテーブルとしたが、各目標風量Ｑは運転モードや設定により決定されるものであるため、運転モードや設定毎にモータ指示電圧記憶値Ｖを割り当ててもよく、その作用効果に差異は生じない。
【産業上の利用可能性】
【００６３】
本発明にかかるサウナ機能付き浴室暖房乾燥装置では、再度運転開始または／および運転切り換えによる目標風量変更の際には、記憶された指示電圧で運転することにより使用者への違和感を防止でき、また、目標風量への到達時間を短縮することができるものであり、浴室のみに限らず、屋内にて換気を行う空気調和機への用途にも適用できる。
【図面の簡単な説明】
【００６４】
【図１】本発明の実施の形態１のサウナ機能付き浴室暖房乾燥装置の概略図
【図２】同換気ファン制御系の制御ブロック図
【図３】同換気ファン制御動作のフローチャート
【図４】同目標風量に対応するモータ指示電圧のデータテーブルの一例を示す図
【図５】同目標回転数を求めるデータテーブルの一例を示す図
【図６】同目標と現在の回転数差からモータ指示電圧の補正量を求めるデータテーブルの一例を示す図
【図７】同複数の吸い込み口を有する換気ファンユニットの一例を示す図
【図８】従来例の浴室暖房乾燥装置の換気ファン制御系の制御ブロック図
【図９】従来例の風量一定制御データテーブルの一例を示す図
【符号の説明】
【００６５】
１      サウナ機能付き浴室暖房乾燥装置本体
２      循環ファン
３      加熱手段
４      ミスト噴射手段
５      換気ファン
５ａ    モータ
６      制御手段
７      連通口
８      換気ファンユニット
９      排気ダクト
１０    回転数検出手段
１１    電圧検出手段
１２    電源回路
１３    制御装置
１４    記憶手段
１５    ＰＡＭ駆動回路
１６    整流平滑回路
１０１  モータ
１０２  回転数検出手段
１０３  電流検出手段
１０４  制御装置
１０５  メモリ（記憶手段）
【図１】
2009261554.tif 000003
【図２】
2009261554.tif 000004
【図３】
2009261554.tif 000005
【図４】
2009261554.tif 000006
【図５】
2009261554.tif 000007
【図６】
2009261554.tif 000008
【図７】
2009261554.tif 000009
【図８】
2009261554.tif 000010
【図９】
2009261554.tif 000011